(57)【要約】  【課題】本発明は、カラオケ装置にて利用者が所望するカラオケ楽曲を演奏させるためのカラオケ楽曲予約システムに関し、効率的に選曲指示可能とすることを目的とする。  【解決手段】一括選曲手段４３で所定数の利用者に一括予約メモリ領域４１に予め選曲された楽曲を登録させておき、予約登録手段４５が、演奏有定手段４４で楽曲が演奏されていないと判定し、かつ予約メモリ領域４２に予約楽曲が存在しない場合に、選曲指示手段４６によって所定の利用者が楽曲を一括登録した一括予約メモリ領域４１から任意の楽曲を自動的に抽出させて選曲指示させ、その選曲番号を当該予約メモリ領域４２の予約待ち行列に登録する構成とする。  【選択図】  図１
2008009220.tif 000002
【特許請求の範囲】
【請求項１】
利用者が選曲指示したカラオケ楽曲を順次演奏させる楽曲予約登録部の予約待ち行列に登録するためのカラオケ楽曲予約システムであって、
一括楽曲予約登録部と、一括選曲手段と、演奏判定手段と、予約登録手段とを有し、
前記一括選曲手段は、所定の一括楽曲登録部に予め選曲された楽曲を登録し、
前記演奏判定手段は、楽曲が演奏されているか否かを実時間で判定し、
前記予約登録手段は、前記演奏判定手段が、楽曲が演奏されていると判定した場合には利用者の選曲指示に従って当該選曲された楽曲の選曲番号を前記楽曲予約登録部の予約待ち行列に登録し、当該演奏判定手段が、楽曲が演奏されていないと判定し、かつ前記楽曲予約登録部に予約楽曲が存在しない場合は、前記一括楽曲登録部から任意の楽曲を自動的に抽出して選曲指示し、その選曲番号を当該楽曲予約登録部の予約待ち行列に登録する、
ことを特徴とするカラオケ楽曲予約システム。
【請求項２】
請求項１記載のカラオケ楽曲予約システムであって、前記予約登録手段は、前記一括選曲手段で前記一括楽曲登録部に複数の利用者によって一括予約登録され、前記演奏判定手段が、楽曲が演奏されていないと判定し、かつ前記楽曲予約登録部に予約楽曲が存在しない場合に、上記一括予約登録した複数の利用者より、異なる利用者毎に順次当該一括楽曲登録部から任意の楽曲を自動的に抽出して選曲指示し、その選曲番号を当該楽曲予約登録部の予約待ち行列に登録することを特徴とするカラオケ楽曲予約システム。
【発明の詳細な説明】
【技術分野】
【０００１】
本発明は、カラオケ装置にて利用者が所望するカラオケ楽曲を演奏させるためのカラオケ楽曲予約システムに関し、さらに詳しくは、カラオケ楽曲を順次演奏させる予約待ち行列に楽曲を登録させるためのカラオケ楽曲予約システムに関する。
【背景技術】
【０００２】
通常、カラオケ装置には、利用者が選曲指示したカラオケ楽曲を順次演奏させる予約待ち行列に登録するための予約システムが組み込まれている。具体的には、利用者が装置付帯のリモコン装置を利用して所望の楽曲を選曲し、所定の送信操作を行う。その選曲信号を受信部が受け取ると、操作パネルにも結合している操作制御部を介して中央制御部に転送する。この中央制御部は、リモコン装置や操作パネルなどのユーザインタフェースにて選曲指示されたカラオケ楽曲の選曲番号を受け取ると、その番号を入力順に従ってＲＡＭに格納することで演奏処理の予約待ち行列として管理する。中央制御部は、予約待ち行列から演奏順番になった楽曲ＩＤをピックアップし、該当する音楽生成データと歌詞描出データとをハードディスク装置より取り出して処理する。
【０００３】
さて、利用者が所望するカラオケ楽曲を選曲する際、従来では、目次本を見ながら選曲番号を確認し、リモコン装置ないし本体操作パネルに当該番号を入力するか、リモコン装置付帯の検索エンジンを利用し、検索された楽曲について所定の送信操作を行うものであるが、何れについても１曲ずつの選曲指示となり、特に、曲数を多く歌いたい場合には、このような操作を行うのは大変面倒なことである。また、最近では、カラオケ装置が搭載するカラオケ楽曲数が膨大となり、検索エンジンが整備されているとは言え、見出す手間も利用者にとって負担となる。
【０００４】
このような不都合を鑑み、従来では、１曲ずつの選曲指示を行う必要を無くし、予め、所望の楽曲を一括して登録しておき、選曲指示も一括して行える技術が想到された。例えば、特許文献１では、利用者が所望する楽曲を予約する際、予め、カラオケコマンダ（一括選曲手段／一括楽曲登録部）に複数の楽曲データ（選曲番号）を蓄えてから、予約登録手段により、それら複数の楽曲データを一括して選曲指示できることで、一度の操作で複数の楽曲を同時に選曲指示でき、所望する楽曲の検索から演奏までを効率的に行える技術が開示されている。
【０００５】
また、特許文献２では、利用者が所持する携帯記憶媒体（一括楽曲登録部）を事前登録装置に接続し、所望のカラオケ楽曲の選曲番号を入力しておき、利用者は携帯記憶媒体を事前登録装置から外して、カラオケ利用時に、この記憶媒体をカラオケ装置付帯の予約装置に接続することで入力された選曲番号を送信でき、しかも、この時、選曲番号を一括して送信できることから、特許文献１と同様な効果を奏するものである。このように、一括選曲手段を利用すれば、利用者にとって、所望する楽曲の検索から演奏までを効率的に行えるので大変便利である。
【０００６】
【特許文献１】特開平８−１８５１９４号公報
【特許文献２】特開平９−１９０１９２号公報
【発明の開示】
【発明が解決しようとする課題】
【０００７】
しかしながら、利用者が一括して選曲指示できるとしても、一つのカラオケ装置の利用者は一人とは限らず、複数の利用者が共用している場合が多い。この場合では、一括して選曲指示してしまうと、予約待ち行列に当該利用者の所望する楽曲が連なった状態となり、同じ利用者の歌唱が続くことで、他の利用者にとっては非常に迷惑なこととなる。なお、上記技術では、この場合を想定して、一括楽曲登録部から一曲ずつ順次選曲指示できる構成も開示されてはいるが、この場合には所望の楽曲を探す手間は無いものの、一括して楽曲を登録できず、当該利用者は、他の利用者の選曲状況を確認しながら逐一選曲指示を行わなければならず、結局、所定の送信操作を行う手間がかかってしまうという問題がある。
【０００８】
そこで、本発明は上記課題に鑑みなされたもので、利用者が何らの手間も要さず一括して選曲指示ができると共に、さらに、通常の選曲指示をする利用者と同じカラオケ装置を共用する場合でも同様に、何らの手間も要さず、他の利用者に迷惑を掛けることなく、効率的に選曲指示ができるカラオケ楽曲予約システムの提供を目的とする。
【課題を解決するための手段】
【０００９】
上記課題を解決するために、請求項１の発明では、利用者が選曲指示したカラオケ楽曲を順次演奏させる楽曲予約登録部の予約待ち行列に登録するためのカラオケ楽曲予約システムであって、一括楽曲予約登録部と、一括選曲手段と、演奏判定手段と、予約登録手段とを有し、前記一括選曲手段は、所定の一括楽曲登録部に予め選曲された楽曲を登録し、前記演奏判定手段は、楽曲が演奏されているか否かを実時間で判定し、前記予約登録手段は、前記演奏判定手段が、楽曲が演奏されていると判定した場合には利用者の選曲指示に従って当該選曲された楽曲の選曲番号を前記楽曲予約登録部の予約待ち行列に登録し、当該演奏判定手段が、楽曲が演奏されていないと判定し、かつ前記楽曲予約登録部に予約楽曲が存在しない場合は、前記一括楽曲登録部から任意の楽曲を自動的に抽出して選曲指示し、その選曲番号を当該楽曲予約登録部の予約待ち行列に登録する構成とする。
【００１０】
請求項２の発明では、前記予約登録手段は、前記一括選曲手段で前記一括楽曲登録部に複数の利用者によって一括予約登録され、前記演奏判定手段が、楽曲が演奏されていないと判定し、かつ前記楽曲予約登録部に予約楽曲が存在しない場合に、上記一括予約登録した複数の利用者より、異なる利用者毎に順次当該一括楽曲登録部から任意の楽曲を自動的に抽出して選曲指示し、その選曲番号を当該楽曲予約登録部の予約待ち行列に登録する構成である。
【発明の効果】
【００１１】
本発明によれば、一括選曲手段で所定数の利用者に一括楽曲登録部に予め選曲された楽曲を登録させておき、予約登録手段が、演奏判定手段で楽曲が演奏されていないと判定し、かつ楽曲予約登録部に予約楽曲が存在しない場合に、所定の利用者が楽曲を一括登録した一括楽曲登録部から任意の楽曲を自動的に抽出して選曲指示し、その選曲番号を当該楽曲予約登録部の予約待ち行列に登録する構成とすることにより、一括予約の利用者は、共用の利用者がいない場合には、利用者が何らの手間も要さず、順次、選曲指示がなされて続けて歌唱できると共に、共有の利用者がいる場合でも、何らの手間も要さず、他の利用者に迷惑を掛けることなく、効率的に選曲指示ができるといった効果を奏する。
【発明を実施するための最良の形態】
【００１２】
以下、本発明の最良の実施形態を図により説明する。
図１に、本発明に係るカラオケ楽曲予約システムを備えるカラオケシステムのブロック構成図を示す。図１において、カラオケシステム１１は、主要装置としてのカラオケ装置１２と、当該カラオケ装置１２に附帯する遠隔入出力端末１３を有して通信ネットワーク１４を介してホスト装置１５にデータ授受自在に接続される。
【００１３】
また、遠隔入出力端末１３は、その構成を省略するが、ユーザインタフェース機能を備えて対応のカラオケ装置１２カラオケ装置１２（後述の送受信部３１）に対して有線方式ないし無線方式（ＩＲ方式やブルートゥース機構のピコネット接続方式など）を利用してデータ授受を行うためのもので、そのための回路基板およびプログラムを備えると共に、利用者に楽曲を選択させる楽曲検索手段１３Ａのプログラムを備える。上記ユーザインタフェース機能としては、例えば備える表示入力部と相俟って液晶ディスプレイ（ＬＣＤ）とタッチセンサとを積層した入出力用を可能とし、表示されるアイコン等に対応して当該タッチセンサにより楽曲の選択などのデータを入力することができるＧＵＩである。また、ホスト装置１５は、その構成を省略するが、少なくもと登録された利用者に関する情報を格納しておく顧客ＤＢを備えるもので、この利用者に関する情報には例えば各利用者の持ち歌として所定数の楽曲の選曲番号（楽曲コード）の情報が含まれる。
【００１４】
上記カラオケ装置１２は、バス２１、中央制御部２２、ＲＯＭ２３、ＲＡＭ２４、音楽曲出力部２５、再生制御部２６、プログラム格納部２７、楽曲ＤＢ（楽曲データベース）２８及び送受信部３１，３２を適宜備える。この場合、上記ＲＡＭ２４では一括楽曲登録部である一括予約メモリ領域４１及び楽曲予約登録部である予約メモリ領域４２が割り当てられる。また、プログラム格納部２７には、一括選曲手段４３、演奏判定手段４４及び予約登録手段４５が格納され、当該予約登録手段４５は選曲指示手段４６を備える。上記プログラム格納部２７及び楽曲ＤＢ２８は、ハードディスク等の記憶装置に記憶される。なお、少なくとも上記一括予約メモリ領域４１、予約メモリ領域４２、一括選曲手段４３、演奏判定手段４４及び選曲指示手段４６を備える予約登録手段４５によりカラオケ楽曲予約システムを構成する。
【００１５】
また、上記カラオケ装置１２に有線及び無線で外部接続されるものとして、映像表示部３３、ミキシングアンプ３４、マイク３５、スピーカ３６及び媒体読取部３７を備える。そして、上記媒体読取部３７に対応した少なくとも利用者ＩＤを記憶しているＩＤ媒体５１が利用者（顧客）において所持される。なお、上記各構成について、本発明の要旨と直接関連しない要素部分であっても、従前のカラオケ装置においても大部分が適用可能であることを示すために、装置全体を説明する。
【００１６】
中央制御部２２は、このシステムを統括的に処理制御する物理的なＣＰＵであり、ＲＯＭ２３に記憶されているプログラムに基づくアルゴリズム処理を行う。また、中央制御部２２は、当該システムを統括的に制御処理する他に、図示しない表示ファイル作成手段を備える。上記ＲＡＭ２４は、種々のプログラムを展開、実行させるための作業領域としての役割や、ここでは、利用者による予め登録した楽曲（持ち歌）を一括で予約登録させておく一括予約メモリ領域４１、及び、利用者からの楽曲をその選曲番号（楽曲コード）で順番に予約待ち行列として予約を記憶する楽曲予約登録部である予約メモリ領域４２が割り当てられるもので、例えば半導体メモリで構成され、仮想的にハードディスク上に構築される場合をも含む概念である。
【００１７】
上記音楽曲出力部２５は、楽曲コードで楽曲ＤＢ２８より抽出された演奏データをデジタル再生し、アナログ変換してミキシングアンプ３４に出力する電子回路である。当該ミキシングアンプ３４は、マイク３５より入力した歌唱者の歌唱音声と、当該音楽曲出力部２５より送られてくる演奏データをミキシングし、増幅してスピーカ３６より出力させるものである。上記再生制御部２６は、演奏時に、選択されて楽曲ＤＢ２８より抽出された楽曲データのうちのテロップデータ（歌詞文字データ）を当該楽曲の演奏データに同期させて映像表示部３３に出力する電子回路である。当該映像表示部３３としては例えば、ブラウン管（ＣＲＴ）ディスプレイ、液晶ディスプレイ（ＬＣＤ）、プラズマディスプレイ（ＰＤＰ）等がある。
【００１８】
上記プログラム格納部２７には、一括選曲手段４３、演奏判定手段４４及び予約登録手段４５が格納され、当該一括選曲手段４３は利用者の指示により上記ホスト装置１５の顧客ＤＢから予め選曲した楽曲（持ち歌）を取得してＲＡＭ２４の一括予約メモリ領域４１に登録するプログラムであり、また、演奏判定手段４４は当該カラオケ装置１２において楽曲が演奏されているか否かを実時間で判定するプログラムである。
【００１９】
上記プログラム格納部２７に格納されている予約登録手段４５は、選曲指示手段４６のプログラムを備え、演奏判定手段４４が、楽曲が演奏されていると判定した場合には利用者の選曲指示に従って選曲指示手段４６において当該選曲された楽曲の選曲番号を予約メモリ領域４２の予約待ち行列に登録し、当該演奏判定手段４４が、楽曲が演奏されていないと判定し、かつ予約メモリ領域４２に予約楽曲が存在しない場合には、上記一括予約メモリ領域４１に登録されている楽曲から任意の楽曲を自動的に抽出して選曲指示し、その選曲番号を予約メモリ領域４２の予約待ち行列に登録するプログラムである。また、当該プログラムには、一括選曲手段４３で一括予約メモリ領域４１に複数の利用者によって一括予約登録され、演奏判定手段４４が、楽曲が演奏されていないと判定し、かつ一括予約メモリ領域４１に予約楽曲が存在しない場合に、上記一括予約登録した複数の利用者より、異なる利用者毎に順次当該一括予約メモリ領域４１から任意の楽曲を自動的に抽出して選曲指示し、その選曲番号を当該楽曲予約登録部の予約待ち行列に登録する機能が含まれる。
【００２０】
上記楽曲ＤＢ２８は、少なくとも、演奏データ（ファイル）及びテロップデータ（ファイル）で構成される楽曲データ（ファイル）について楽曲コードをファイル名としてそれぞれ備える。演奏データ（ファイル）はそれぞれの楽曲の演奏をデジタル的に表現したデータであり、テロップデータ（ファイル）は演奏データに対応した楽曲の歌詞文字データである。
【００２１】
当該送受信部３１は、遠隔入出力端末１３との間で有線方式ないし無線方式（ＩＲ方式やブルートゥース機構のピコネット接続方式など）を利用してデータ授受を行うためのもので、そのための回路基板およびプログラムを備える。上記送受信部３２は、上記ホスト装置１５と通信ネットワーク１４を介してデータ授受を行うためのもので、通信方式と整合性をとるための例えば物理的な通信用回路やプラットフォーム等のソフトウエアにより構成されるものである。
【００２２】
上記媒体読取部３７は、利用者が所持するＩＤ媒体５１から少なくとも利用者ＩＤを読み取るもので、読み取った利用者ＩＤを一旦ＲＡＭ２４に記憶する。当該ＩＤ媒体５１は、少なくとも利用者ＩＤを記憶し、上記媒体読取部３７と例えば非接触でデータ授受が自在のものである。ＩＤ媒体５１としては、例えば、非接触型のＩＣカードや、携帯電話や小型モバイルコンピュータに内蔵させたＩＣカード機能回路等がある。
【００２３】
なお、図示しないが、当該カラオケ装置１２には演奏楽曲、歌唱音声に対する種々の調節を行うボタンやツマミ類が可変抵抗器等の電子素子に直結された操作パネルも接続され、当該操作パネルはエコーや左右バランス、スピーカ３６からの出力音量のボリウム等を備える。
【００２４】
ここで、図２に、図１の一括予約メモリ領域及び予約メモリ領域の概念説明図を示す。図２（Ａ）は一括予約メモリ領域４１、図２（Ｂ）は予約メモリ領域４２の概念説明図である。図２（Ａ）において、ＲＡＭ２４に割り当てられる一括予約メモリ領域４１は、例えば利用者ＩＤに基づき、上記ホスト装置１５の顧客ＤＢに予め格納されている所定数の持ち歌の選曲番号を取得して当該利用者ＩＤに関連付けて一括して記憶しておくものである。ここでは、例えば利用者Ａ及び利用者Ｂが一括予約メモリ領域４１に所定数の楽曲（持ち歌）を一括予約しているものとして示している。
【００２５】
また、図２（Ｂ）において、予約メモリ領域４２は、当該カラオケシステム１１の利用者からの要求指示による予約楽曲としての選曲番号（楽曲コード）及び曲名を順番に予約待ち行列として記憶しておくもので、ここでは上記予約登録手段４５の備える選曲指示手段４６の指示によって所定の楽曲が記憶されるものである。なお、図２（Ｂ）に示される利用者ＩＤとの関連付けは、通常は行われないが、後述の予約登録処理の説明を容易とするために付しておく。また、実際には、予約待ち行列の楽曲は演奏が終了すると削除されるものであり、当該図に示す内容は、後述の図５と相俟って本発明に対する説明上のものである。
【００２６】
そこで、図３に本システムにおける利用者の楽曲の一括予約登録処理のフローチャートを示すと共に、図４に本システムにおける予約登録の処理フローチャートを示す。なお、図４（Ａ）は当該カラオケシステム１１の利用者からの通常の楽曲予約の処理フローチャートであり、図４（Ｂ）は一括予約メモリ領域からの予約登録の処理フローチャートである。
【００２７】
図３において、まず、利用者より楽曲の一括予約の要求を入力すると（ステップ（Ｓ）１）、一括選曲手段４３が、要求時に利用者によるＩＤ媒体５１から媒体読取部３７が利用者ＩＤを取得していない場合にはその旨の要求をし、利用者ＩＤが取得されている場合には（Ｓ２）、ホスト装置１５に対して当該利用者ＩＤに関連付けて顧客ＤＢに格納されている登録楽曲（持ち歌）のリストを送受信部３２から通信ネットワーク１４を介して要求する（Ｓ３）。なお、利用者による一括予約の要求は、ここでは上記遠隔入出力端末１３から行われる。
【００２８】
そして、送受信部３２が、ホスト装置１５より当該利用者の登録楽曲（持ち歌）のリストを選曲番号で取得すると（Ｓ４）、図２（Ａ）に示すように、ＲＡＭ２４の一括予約メモリ領域４１に記憶しておく（Ｓ５）。他の利用者より、同様の一括予約の要求があれば同様の処理によりＲＡＭ２４の一括予約メモリ領域４１の予約待ち行列に順次記憶していくものである。
【００２９】
一方、カラオケシステム１１（カラオケ装置１２）は利用者からの楽曲予約要求を、楽曲の演奏中であるか否かに拘わらず常時受け付ける。すなわち、図４（Ａ）において、例えば所定の利用者が遠隔入出力端末１３より楽曲検索手段１３Ａを使用して楽曲を選曲してカラオケ装置１２に対して予約要求（通常予約という）があると、予約登録手段４５の選曲指示手段４６が、当該要求された楽曲（選曲番号）を選曲指示することによって（Ｓ１１）、当該選曲番号がＲＡＭ２４の予約メモリ領域４２の予約待ち行列に順番で登録される（Ｓ１２）。当該予約メモリ領域４２に登録されている楽曲の有無に拘わらず、利用者からの要求に応じて順次要求楽曲の選曲番号を順次当該予約メモリ領域４２の予約待ち行列に登録していくものである。
【００３０】
ここで、演奏判定手段４４は当該カラオケシステム１１（カラオケ装置１２）で楽曲が演奏されているか否かを実時間で監視、判定しており、予約登録手段４５は、図４（Ｂ）に示すように、当該楽曲が演奏されている場合の状況を演奏判定手段４４による演奏有無の判定を常に取得している（Ｓ２１）。演奏されておらず、若しくは演奏されている楽曲が終了した場合に（Ｓ２２）、予約メモリ領域４２に予約登録されている楽曲があるか否かを判別する（Ｓ２３）。予約されている楽曲が存在すれば、全曲の演奏が終了した時点で次の楽曲の演奏が始まり、処理としてＳ２１に戻る。
【００３１】
一方、予約されている楽曲が存在しない場合には（Ｓ２３）、選曲指示手段４６による選曲指示により、ＲＡＭ２４の一括予約メモリ領域４１に一括予約登録した利用者より、所定の利用者の予約楽曲から一曲を自動的に抽出して、当該選曲番号を予約メモリ領域４２の予約待ち行列に予約登録するものである（Ｓ２５）。当該選曲された楽曲については、後に重複して予約対象とさせないようにする場合には、例えば選曲した楽曲（選曲番号）の記憶領域に関連させてフラグを付しておけばよい。
【００３２】
また、図２（Ａ）に示すように、一括予約登録した利用者が複数いる場合には、一括予約登録した複数の利用者より、異なる利用者毎に順次当該一括予約メモリ領域４１から任意の楽曲を自動的に抽出して選曲指示し、当該選曲番号を予約メモリ領域４２の予約待ち行列に予約登録させることにより、一人の利用者の楽曲が続けて選曲されることを回避させることができる。
【００３３】
そこで、図５に、図２（Ｂ）に対応した予約登録の説明図を示す。上述の図２（Ｂ）の予約メモリ領域４２は予約待ち行列の楽曲が示され、図５では、これらの予約待ち行列の楽曲が、利用者による通常予約と一括予約登録からの一括対象予約とで予約登録されたものとして説明する。ここでは、４人の利用者Ａ〜Ｄが当該カラオケシステム１１（カラオケ装置１２）の利用を共用しているものとし、利用者Ａ及び利用者Ｂが、図２（Ａ）に示すように一括予約メモリ領域４１に所定数の楽曲を一括予約登録しているものとする。
【００３４】
すなわち、図５において、順番１〜３では利用者Ｄ、利用者Ｃ、利用者Ａが上記のように遠隔入出力端末１３より楽曲の通常予約され、順次演奏される。順番３の楽曲の演奏が終了し、かつ、予約メモリ領域４２の予約待ち行列に予約待ちの楽曲が存在しない場合に、予約登録手段４５の選曲指示手段４６が一括予約メモリ領域４１に予約登録されている楽曲のうち、例えば利用者Ａの予約登録した所定数の楽曲より任意に一曲を抽出し、その選曲番号を予約メモリ領域４２における予約待ち行列の順番４に一括予約対象として自動的に予約登録する。
【００３５】
上記順番４の楽曲の演奏中に、利用者Ｄより楽曲予約の要求により選曲指示手段４６の選曲指示によって順番５に通常予約の予約登録が行われ、当該楽曲の演奏が終了した時点で予約待ち行列に予約待ちの楽曲が存在しない場合に、予約登録手段４５の選曲指示手段４６が一括予約メモリ領域４１に予約登録されている利用者Ｂの予約登録した所定数の楽曲より任意に一曲を抽出し、当該選曲番号を予約メモリ領域４２における予約待ち行列の順番６に一括予約対象として自動的に予約登録する。
【００３６】
上記順番６の楽曲の演奏中に、利用者Ｃ、Ｂより順次楽曲予約の要求により選曲指示手段４６の選曲指示によって順番７，８に通常予約の予約登録が行われ、当該順番８の楽曲の演奏が終了した時点で予約待ち行列に予約待ちの楽曲が存在しない場合に、予約登録手段４５の選曲指示手段４６が一括予約メモリ領域４１に予約登録されている利用者Ａの予約登録した所定数の楽曲より任意に一曲を抽出し、当該選曲番号を予約メモリ領域４２における予約待ち行列の順番９に一括予約対象として自動的に予約登録する。そして、楽曲の通常予約と一括予約対象との予約登録が、上記同様に行われるが、実際上は予約待ち行列の楽曲が演奏終了で削除されるものであり、結果的に図２（Ｂ）に示す履歴のような予約待ち行列の状態となるものである。
【００３７】
このように、一括予約の利用者でない利用者がいない場合では、一括楽曲登録部から、順次、自動的に選曲指示がなされるが、利用者がいて選曲する場合は、人の演奏が終わってから選曲指示するのではなく、通常、その演奏中に選曲指示するため、演奏中では通常通りの選曲指示を受け付け、他の利用者が中々所望する楽曲が見出せない場合、歌唱する気分が消失して選曲指示を行わない場合、あるいは「仲間内」での利用で、一括予約の利用者による選曲指示の順番を待っている場合、これを演奏が行われなくなった時点で予約待ち行列に予約楽曲があるか否かを判断し、予約楽曲が存在しない場合に、一括楽曲登録部から楽曲が自動的に選曲指示されることにより、一括予約の利用者は、共用の利用者がいない場合には、利用者が何らの手間も要さず、順次、選曲指示がなされて続けて歌唱できると共に、共有の利用者がいる場合でも、何らの手間も要さず、他の利用者に迷惑を掛けることなく、効率的に選曲指示を行うことができるものである。
【００３８】
ところで、上記一括選曲手段４３による楽曲の一括予約を、利用者がホスト装置１５の顧客ＤＢに予め登録により持ち歌として格納されている楽曲より行う場合を示したが、これらとは無関係に利用者が上記遠隔入出力端末１３の楽曲検索手段１３Ａや選曲目次本より所定数選択して一括予約することとしても同様である。
【００３９】
また、上記カラオケ楽曲予約システムを、通信カラオケ対象のカラオケシステム１１に適用させた場合を示したが、スタンドアローンのカラオケシステムに適用可能であることはもちろんである。
【産業上の利用可能性】
【００４０】
本発明のカラオケ楽曲予約システムは、カラオケ歌唱に際して複数の楽曲から選曲された所望の楽曲を予約登録しておいて順番の演奏する通信又はスタンドアローンのカラオケ機能を備えるアミューズメント産業上での利用に適する。
【図面の簡単な説明】
【００４１】
【図１】本発明に係るカラオケ楽曲予約システムを備えるカラオケシステムのブロック構成図である。
【図２】図１の一括予約メモリ領域及び予約メモリ領域の概念説明図である。
【図３】本システムにおける利用者の楽曲の一括予約登録処理のフローチャートである。
【図４】本システムにおける予約登録の処理フローチャートである。
【図５】図２（Ｂ）に対応した予約登録の説明図である。
【符号の説明】
【００４２】
１１            カラオケシステム
２４            ＲＡＭ
２７            プログラム格納部
４１            一括予約メモリ領域
４２            予約メモリ領域
４３            一括選曲手段
４４            演奏判定手段
４５            予約登録手段
４６            選曲指示手段
【図１】
2008009220.tif 000003
【図２】
2008009220.tif 000004
【図３】
2008009220.tif 000005
【図４】
2008009220.tif 000006
【図５】
2008009220.tif 000007